(57)【要約】【課題】使用者自身と端末との距離に応じて無線端末の電波送受信の設定を変更すること。【解決手段】制御部９は、人体との相対距離をカメラ１のオートフォーカス機能の変動量により識別し、変動値に基づいて、電波送受信の設定を変更する。【選択図】図１
2007259267.tif 000002
【特許請求の範囲】
【請求項１】
使用者本人を撮影可能な位置に設置されたオートフォーカス機能をもったカメラを搭載した無線端末であって、
人体との相対距離を前記カメラのオートフォーカス機能の変動量により識別し、変動値に基づいて、電波送受信の設定を変更することを特徴とする無線端末。
【請求項２】
前記人体との相対距離は、人体の特定の部位との相対距離であることを特徴とする請求項１記載の無線端末。
【請求項３】
使用者本人を撮影可能な位置に設置されたオートフォーカス機能をもったカメラを搭載した無線端末の設定変更方法であって、
人体との相対距離を前記カメラのオートフォーカス機能の変動量により識別するステップと、
その変動値に基づいて、電波送受信の設定を変更するステップと
を有することを特徴とする無線端末の設定変更方法。
【請求項４】
前記人体との相対距離は、人体の特定の部位との相対距離であることを特徴とする請求項３記載の無線端末の設定変更方法。
【請求項５】
使用者本人を撮影可能な位置に設置されたオートフォーカス機能をもったコンピュータに、人体との相対距離を前記カメラのオートフォーカス機能の変動量により識別し、変動値に基づいて、電波送受信の設定を変更する機能を実現させることを特徴とするプログラム。
【請求項６】
前記人体との相対距離は、人体の特定の部位との相対距離であることを特徴とする請求項５記載のプログラム。
【発明の詳細な説明】
【技術分野】
【０００１】
本発明は、カメラ機能を具備した無線端末の設定を人体からの距離に応じて自動的に最適化する技術に関する。
【背景技術】
【０００２】
従来、無線端末である携帯電話機や携帯情報端末の使用中に使用者が、使用者自身と端末機器の距離の変化に応じて端末の設定を自動的に最適化できる仕組みが無いという問題があった。
【０００３】
例えば、視力が弱い方が使用中に端末と使用者自身の距離が遠くなる状態に変化した場合にＬＣＤのフォントの文字フォントが小さくて認識しにくいといった問題が考えられる。自分で見えやすい位置に調整することで容易に解決できるとが、手足の不自由な方にとっては問題となる場合が多い。
【０００４】
また、別事例では、聴覚が不自由な方にとっては、端末が使用者本人から離れる場合にスピーカーの音量が小さくて聞こえにくいといった問題も考えられる。この問題は、ハンズフリー機器を使用することで容易それらの問題を解決できるが、ハンズフリー機器を装着することに操作の手間がかかるため、望まない使用者も少なく無いと思われる。
【０００５】
ここで、距離センサにより装置本体の使用者との間の距離を測定すると共にマイクによる入力音声レベルを測定することで、装置本体が通常の通話位置（使用者の耳元付近）にあるか否かを判断し、装置本体が通常の通話位置にあれば、カメラ部、表示部、照明部をＯＦＦ、スピーカー音量及びマイク感度を小さくし、装置本体が通常の通話位置になければ、カメラ部を使用する場合と判断し、カメラ部、表示部、照明部をＯＮ、スピーカー音量及びマイク感度を大きくすることで、使用者が特に意識せずとも最適な動作環境を設定でき、面倒な調整作業を不要として操作性の向上が図れると共に、無駄な電力消費を抑えて電池寿命を延ばすことができる技術が提案されている（例えば、特許文献１参照）。
【０００６】
また、使用者と情報提供手段との距離を測定する距離測定手段を有し、文字の大きさ、色使い、図の大きさ、レイアウト、音声出力の要否などの情報提示方法、コンテンツの複雑さ、音声出力時の内容、日本語の場合には漢字への対応法など情報内容などのそれぞれの特性に対して、使用者の指定するプロファイルと測定した距離とに従って、コンテンツを変換することができる技術が提案されている（例えば、特許文献２参照）。
【特許文献１】特開２００２−１１１８０１号公報
【特許文献２】特開２００４−３３６４３９号公報
【発明の開示】
【発明が解決しようとする課題】
【０００７】
しかしながら、上述した従来例においては次のような問題点があった。
【０００８】
カメラにて使用者自身と端末との距離をオートフォーカスの相対変動値で認識する仕組みを利用し、自動的に端末の電子メール受信などの電波送受信を制限したり、拡張することは困難であった。
【０００９】
本発明は、以上説明した事情に鑑みてなされたものであり、その目的は、使用者自身と端末との距離に応じて無線端末の電波送受信の設定を変更することにある。
【課題を解決するための手段】
【００１０】
上記課題を解決するために、本発明は、使用者本人を撮影可能な位置に設置されたオートフォーカス機能をもったカメラを搭載した無線端末であって、
人体との相対距離を前記カメラのオートフォーカス機能の変動量により識別し、変動値に基づいて、電波送受信の設定を変更する無線端末を提供する。
【００１１】
また、本発明は、使用者本人を撮影可能な位置に設置されたオートフォーカス機能をもったカメラを搭載した無線端末の設定変更方法であって、
人体との相対距離を前記カメラのオートフォーカス機能の変動量により識別するステップと、
その変動値に基づいて、電波送受信の設定を変更するステップと
を有する無線端末の設定変更方法を提供する。
【００１２】
また、本発明は、使用者本人を撮影可能な位置に設置されたオートフォーカス機能をもったコンピュータに、人体との相対距離を前記カメラのオートフォーカス機能の変動量により識別し、変動値に基づいて、電波送受信の設定を変更する機能を実現させるプログラムを提供する。
【発明の効果】
【００１３】
本発明によれば、使用者自身と端末との距離に応じて無線端末の電波送受信の設定を変更することができる。
【発明を実施するための最良の形態】
【００１４】
以下、本発明の実施の形態について図面を参照して詳細に説明する。
【００１５】
図１を参照すると、本実施の形態における無線端末は、カメラ１を具備した標準的な折りたたみ型の携帯電話機により実現されている。図１はその基本構成（表面）を表したものである。
【００１６】
図２は同様にカメラ１を具備した標準的な折りたたみ型の携帯電話機の基本構成（裏面）を表している。
【００１７】
図３には基本構成となるブロック図を示している。カメラモジュール１は、使用者本人を撮影することが可能なポジションに設置されており、且つ被者体との距離測定が可能であるか、またはオートフォーカス機能を具備しており、基準に対しての相対的な変動量を計測可能な機能を具備していることを前提としている。
【００１８】
基本構成としては、情報の表示部であるＬＣＤ２と、発光表示部であるＬＥＤ４と、バックライト１４と、入力部となるテンキー３と、音声入力部であるマイク６と、音声出力を行うレシーバー５と、スピーカー７と、制御部９と、記憶部１２と、通信を行うアンテナ１１と、無線部１０とから主に構成される。その他の構成要素は標準的な携帯電話機に構成されるものであり、その説明は省略する。
【００１９】
次に、本実施の形態の処理動作について図面を参照して詳細に説明する。
【００２０】
図４は、本実施の形態として、ＬＣＤ２の表示を自動的に変更させる仕組みについて簡潔なフローチャートで説明したものである。
【００２１】
以下、ＬＣＤ２の表示設定、例えば、ＬＣＤの表示フォントのサイズが自動的に最適化される事例の説明を行う。
【００２２】
ステップＳ０の初期状態としては、ＬＣＤの表示機能を動作させた状態にて使用中の状態とする。また、カメラと被写体(使用者)のピントが合った状態とし、定期的に現在の状態を保存している。
【００２３】
この使用状態を図５にて説明すると、人体３１と使用状態の携帯端末のカメラ部１との直線距離３２が距離ａである状態を初期状態Ｓ０の状態とする。
【００２４】
次に、ステップＳ１として、使用者本人が位置を変化させることにより、カメラ１と人体３１の直線距離３２が変化した状態を図６に示す。
【００２５】
このときに距離３２は距離ｂであったとする。次のステップとしてＳ２に移行し、カメラ１が画像検出入力動作を開始し、被対象の画像情報を制御に入力処理を行う。
【００２６】
ステップＳ３としては、被写体とのピントが合っているかを識別処理を行う。
【００２７】
ステップS3において、Ｎｏの場合はステップＳ４に移行し、ピントが合うようにオートフォーカス(以後「ＡＦ」という)を繰り返し処理を開始する。
【００２８】
ステップＳ３において被写体とのピントが合っている場合はステップＳ５に移行し、ＡＦ処理後のレンズのフォーカス設定値Ｋ１を制御部９にて記憶部１２に保存する。
【００２９】
ステップＳ６において、Ｓ５で検出保存したフォーカス設定値Ｋ１から、ＬＣＤの表示変更の出力値を決定する処理を行う。
【００３０】
まず、ユーザーは予め基準とするフォーカス値をｋ０としたときに対応したＬＣＤ出力設定値ｈ０を設定済みとする。このとき、ＬＣＤ出力設定値ｈに各々対応した表示文字の設定値を対応表が記憶部に生成されており、Ｋ１が対応するｈの値を記憶部１２から検索し決定する。
【００３１】
ステップＳ６において決定されたＬＣＤ出力値はｈ３とすると、ステップＳ７でｈ３に対応したＬＣＤ４の表示文字の大きさに変更する表示更新処理を実行する。
【００３２】
図５から図６への移行により、距離が遠くなる場合にＬＣＤの文字が大きくなるパターンに設定されている場合、カメラと人体の距離が遠くなることで、文字が自動的に大きくなるため、視認性が向上する。
【００３３】
なお、ＬＣＤの表示の文字の大きさを自動的に変更する動作について説明したが、文字のフォント種別、色、背景色を任意の最適なパターンに変更する構成とすることも可能である。
【００３４】
また、カメラと人体の距離の変化をカメラのフォーカス値の変化で認識することを利用し、スピーカー(ＳＰＫ７)の音量を距離に応じて自動的に変更する構成も可能であり、携帯電話が人体から遠くなると、着信音量が大きくなることによる音の認識を改善できる。
【００３５】
また、カメラと人体の距離が近い場合に、ＬＣＤのｂａｃｋ  ｌｉｇｈｔの輝度を変化させる構成も可能である。例えば、人体と携帯電話のカメラの距離が一定以上近くなるとバックライトの輝度が暗くなるか、ＯＦＦへ移行させるといったパターンを構成することで省電力化が可能となる。
【００３６】
さらに、カメラと携帯電話機の距離が離れることをカメラで認識することにより、携帯電話機の電子メールの送受信において予め設定したルールに沿った優先度において優先度の低いデータの送受信を人体から一定以上離れた状態になったら送受信の処理を開始することとする。この構成によって即時に送受信されない欠点もあるが、優先度が低い宛先からの受信や送信の電子メールを人体の近傍におけるアンテナ特性の悪い状態で処理せず、人体から遠い状態(相対的にアンテナ特性が良好な状態)において処理することで、省電力化を図ることができる。
【００３７】
カメラと携帯電話機の距離が離れることをカメラで認識することにより、携帯電話機の電子メールの送受信に限らず、電波送受信が行なわれる処理の実行制御を変更することであってもよい。例えば、自機の位置情報を取得する際の、所定の基地局やＧＰＳ衛星との通信を行うための電波出力を、通常よりも回数、出力値などを低減することがある。
【００３８】
また、ｉアプリ（登録商標）や、電子マネーの残額照会・更新などのために行なわれる電波送受信を含む。
【００３９】
また、ＰＴＴ（Push To Talk）機能に関する電波送受信を含む。
【００４０】
さらに、赤外線通信やＢＬＵＥ  ＴＯＯＴＨなどの近接間通信による電波送受信を含む。
【００４１】
カメラと携帯電話機の距離が離れることをカメラで認識することにより、電波送受信が行なわれる処理の実行制御の変更は、人体の特定の部位との距離に応じて行われてもよい。例えば、頭部に近い場合には変更し、臀部に近い場合には変更しないなどの制御がなされてもよい。
【００４２】
なお、上述する実施の形態は、本発明の好適な実施の形態であり、本発明の要旨を逸脱しない範囲内において種々変更実施が可能である。例えば、上記の実施の形態における携帯電話機の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００４３】
上述する各実施の形態は、携帯電話機の各機能が１つのコンピュータシステムとして実現されているシステム構成について説明したが、各機能が別個に接続されている構成や機能毎に複数の装置などが追加された構成にも適用可能であることはもちろんである。
【図面の簡単な説明】
【００４４】
【図１】本発明の実施形態における自分撮り撮影用カメラを搭載した折りたたみ式携帯電話機の外観構成（表面）を示す図である。
【図２】本発明の実施形態における自分撮り撮影用カメラを搭載した折りたたみ式携帯電話機の外観構成（裏面）を示す図である。
【図３】本発明の実施形態における自分撮り撮影用カメラを搭載した折りたたみ式携帯電話機の機能ブロック図である。
【図４】カメラ動作によりＬＣＤの表示変更される処理動作のフローチャートである。
【図５】本発明の実施形態における使用状態の一例を示す図である。
【図６】本発明の実施形態における使用状態の一例を示す図である。
【図７】本発明の実施形態におけるＬＣＤの表示例を示す図である。
【図８】本発明の実施形態におけるＬＣＤの表示例を示す図である。
【符号の説明】
【００４５】
１    カメラ
２    ＬＣＤ
３    入力キー
４    ＬＥＤ
５    レシーバー
６    マイク
７    スピーカー
９    制御部
１０    無線部
１１    アンテナ
１２    記憶部
１４    バックライト
３１    使用者
３２    使用者との端末機器のカメラとの直線距離
【図１】
2007259267.tif 000003
【図２】
2007259267.tif 000004
【図３】
2007259267.tif 000005
【図４】
2007259267.tif 000006
【図５】
2007259267.tif 000007
【図６】
2007259267.tif 000008
【図７】
2007259267.tif 000009
【図８】
2007259267.tif 000010